(57)【要約】【課題】本発明は入浴後、浴槽の底面に沈殿する入浴者の皮膚、毛髪等の脱落物の除去に係わり、その目的とする所は、沈澱物の有効且つ確実な除去により、清潔な入浴の確保と水資源、ガス等の生活エネルギーの節約、更には、二酸化炭素排出の抑制に寄与できる、浴槽沈澱物除去装置を提供せんとするものである。【解決手段】上記課題を解決するために、本発明の浴槽沈澱物除去装置は、浴槽幅の約二分の一で、極く狭い長方形状の吸込口内に、常に進行方向に対して後方に回転移動可能で、沈澱物を掻き取れるような可撓性材料の集塵ヘラを取り付け、その上部には排水の流量を均等化する隔板を内設した角錐台状の筒体と電動式の水中ポンプを結び、強力に、しかも沈澱物の撹乱浮遊を最小限に押さえながら、沈澱物を浴水と一緒に吸引し、浴槽から排出しつつ、浴槽内を一往復して一連の作業を終了さるように、構成したことを特徴とするものである。【選択図】　　　図１
2004033501.tif 000002
【特許請求の範囲】
【請求項１】
入浴後の浴槽沈澱物を浴水とともに、吸引排出する水中ポンプを備えた吸引部に、これを作動する電源部を装着した誘導棒を連結するとともに、前記水中ポンプの排出側に、浴槽外への排水用可撓性パイプを接続した構造より成り、前記吸引部の吸込口を極く狭い長方形状に形成すると同時に、その両面に付設された移動自在の間隔保持輪により、浴槽内側底面間に、極めて狭い沈澱物吸入間隙を形成する如く構成したことを特徴とする浴槽沈澱物除去装置。
【請求項２】
上記排水吸込口と浴槽内側底面間の間隙を、前者の幅の約二分の一に、又前者の長さを標準水槽内側短辺幅の約二分の一に構成したことを特徴とする請求項１記載の浴槽沈殿物除去装置。
【請求項３】
前記浴槽沈殿物除去装置の所望形状の水中ポンプの吸い込み口と、長方形の前記沈殿物吸込口、間の接続部を、外形が直線的に変化する角錐台状の高さの低い幅広の筒体とし、その内部に、数枚の直線的に変化する隔板を、放射状に適宜な間隔を置いて配置し、吸込口における沈殿物の吸込量を均等化できるように構成したことを特徴とする、請求項１又は２記載の浴槽沈殿物除去装置。
【請求項４】
前記浴槽沈殿物除去装置の沈殿物吸込口内側で、長さ方向両端の僅か上部の支点により回転移動でき、長さ方向と同一の寸法で沈殿物吸込口から前記吸入口幅にほぼ等しい寸法で、下方にはみ出す可撓性薄板の集塵ヘラを取り付けて、吸込口からの沈殿物吸込量の効率化を増大できるように構成したことを特徴とする、請求項１乃至３いずれかに記載の浴槽沈殿物除去装置。
【発明の詳細な説明】
【０００１】
【発明が属する技術分野】
本発明は、家庭用浴槽の沈殿物を除去する方法及び装置に関するものである。
【０００２】
【従来の技術】
従来、槽内の沈殿物の除去手段として種々の器具または、装置が提案されている。即ち：
１）一端に、流体の流れを早くする手段を具えた円形の吸込口と、他端に自動開閉弁を装着した排出口が支持管及び可撓性の排出用誘導管により連結され、サイフォン作用により沈殿物を排出する、浴槽の沈澱物除去装置。（実公平７−５３６８５参照）
２）排水口に設置された吸引管と、特殊な形状を持つ吸引口により吸引された浴槽底面の湯垢を把持管及び可撓性吸引管を通し、浴槽底面の排水口より重力作用により排出する、浴槽の湯垢除去器具。（実開昭６３−１８３９６７参照）
３）直管とフレキシブル管とからなる排水管の、一端を浴槽底面の排水口に接続し、他端を浴槽底面の沈澱物に接近させ、サイフォン作用により沈澱物を吸い上げ、排水口より排出する、浴槽内沈澱物吸い上げパイプ。（実開平５−９３８４参照）
４）回転角度により排水口が開閉できる中栓を有する排水栓を、浴槽底面の排水口に設置し浴槽の沈降物を除去する、温泉浴槽の沈降物除去方法および沈降物除去装置。（特開平４−５８９１５参照）
５）可撓性導水管の一端を浴槽底面の排水口に差込み、他端に幅広の捕集部を設置し、その中間には仕切弁を設け、この仕切弁の開閉により、浴槽底面の沈澱物または、水面の浮遊物を直接排水管より除去する、風呂水清掃具。（特開平１１−２６７０５６参照）
然しながら上記の如き構造の如何にかかわらず、浴槽の沈澱物除去を目的とする装置または器具は、事実上市販されていないので、大がかりな浄化装置の設置は考えられない、家庭用としては手軽に、浴槽の沈澱物除去はできないのが実状である。
【０００３】
【発明が解決しようとする課題】
従って本発明は、上記従来技術の実用化を阻害する下記の如き諸問題を追求し解決して、経済的で環境に配慮した、清浄な入浴を実現できる浴槽沈澱物除去装置の提供を課題とする。
１）浴槽の沈澱物は入浴完了後、数時間静置して沈殿するもので非常に浮遊しやすいため、吸込口が小さいと吸引部の移動量が大となり、浴槽底面の攪乱を助長し、沈澱物が舞い上がり拡散量の増大により、清浄度が低下する欠点がある。
２）サイフォン式の排水方法は、家庭用浴槽程度では落差が小さいため、吸引力が不足し排出に時間がかかり、更に、吸引部の移動による攪乱の影響部分を吸引するまでの力が不足し、結局、沈澱物の拡散につながり実用的ではない。
３）浴槽底面の排水口への排水方式は排水パイプの接続が繁雑であり、また接続したままでは、入浴上問題がある。
【０００４】
【課題を解決するための手段】
この様な問題点を解決するための本発明の手段を前記各項目番号に対応させ、更に、効率を上げる補助手段を説明すると以下の如くである。
１）浴槽沈澱物吸込口の長手方向の寸法を、家庭用浴槽の短辺方向内側寸法の二分の一程度とし、吸込口を浴槽の長辺方向に向かい吸引しつつ移動すれば、１回の往復で沈澱物の排出を終了させることが出来る。
２）満足できる吸引力を確保するために、電力コード又は、充電式電池による水中ポンプを使って強力に排水させる。更に、吸込口を極く狭い長方形状にし、長辺の大きさは前記の如く、浴槽の短辺方向内側寸法の二分の一程度とする、更に、吸込口と浴槽底面との間隙は、この吸込口幅の二分の一程度となるように狭め、吸込み流量を増大し、吸込口両端に設置された間隔保持輪により、吸込口の必要流速を安定的に確保させる。
３）吸込口から吸引した沈澱物は、ポンプに接続した可撓性の排出パイプを通して上部より浴槽外の洗場などに排出する。
４）更に、沈澱物吸引の補助手段として、吸込口の進行方向に対して、常に後方に配置されるように支点支持された、可撓性材料による回転移動可能な集塵ヘラを取り付け、浴槽の底面を摺動しながら進行し、沈澱物を掻き取り拡散を防止しつつ吸引効率向上に資する。
５）又、吸込口と電動ポンプの間を、放射状に配置された隔板を内設した、高さの低い幅広の角錐台形状の筒体で接続し、吸込口の吸引力を全体的に均等化させる。
【０００５】
【発明の実施の形態】
浴槽内において、浴水が最終入浴者の使用後、数時間以上静置され、入浴者の皮膚、毛髪、その他の脱落物の大部分が、浴槽底面に沈殿した後、本発明の浴槽沈澱物除去装置吸込口の長手部分を、浴槽底面角部の短辺に対し平行に近接定置し、水中ポンプを駆動開始した後、本装置の上部に伸ばした誘導棒により、本装置を、２個の間隔保持輪が浴槽底面から離脱しないように、又、沈澱物を攪乱浮遊させず、確実に沈澱物を吸引できる速さで、浴槽の長辺方向に沿って直線的に進行させる。
吸込口が浴槽の他端に到達した時、吸込口を数センチメートル程度引き上げ、回転せず浴槽短辺の壁面に沿って沈澱物の未除去部分に移動させ、間隔保持輪を浴槽底面に接触させ、前記同様に誘導棒で前回とは逆の方向に向かって、吸引を開始した浴槽壁面の直近まで、沈澱物の吸引を行い吸込口を引き上げた後、ポンプを停止し角錐台状筒体等に溜まった、排出水の逆流を防止するように、素早く本装置を浴槽外に取り出し、作業を終了する。
この際、吸込口に設置された集塵ヘラは吸込口の進行方向に対して、常に後方に位置するように回転移動し、浴槽底面の沈澱物を掻き取るように浴槽底面を摺動摺するので、沈澱物の吸引効果を確実に向上させる。
以下に本発明の好個の実施例について図面を参照して説明する。
【０００６】
【実施例】
図１、図８に示すように、２方向に壁Ｋ、２方向に洗場Ｃをもつ浴槽Ｔで、水中ポンプ７の上部に十分な浴水Ｗが存在する場合について説明を行う。
図８により、家庭用浴槽Ｔの短辺方向内側寸法は約６０センチメートルであるため、吸込口３の長さをその半分程度とし、幅を１乃至１．５センチメートル程度の吸込口３（図４乃至６参照）として、位置Ｓ１から位置Ｓ５まで往復移動させることにより、浴槽底面１の全域を１回の吸引清掃でカバーできる。
【０００７】
先ず、吸引部Ｓには、浴槽底面１に沈殿した沈澱物２の吸込口３を設け、その吸込口３は上部に図１、図３に示す、水流を均等化するための放射状に配置した隔板４を内設した角錐台状筒体５を配し、固定枠６に支持された水中ポンプ７に連結されている。角錐台状筒体５の内部に設置された隔板４は吸込口３近傍では等間隔に配置し、水中ポンプ７の直下では水の流体抵抗等を考慮して水中ポンプ７からの吸水量が均等に配分されるように配置し、角錐台状筒体５内側に密着するような形状とする。
【０００８】
図５，図６において、吸込口３と浴槽底面１の間隙Ｄを一定に保持するために間隔保持輪８を角錐台状筒体５の最下部の長手両端に取り付ける（図１乃至図６参照）。上記の間隙Ｄは移動速さやポンプの能力にもよるが吸込口３の幅の約半分で０．５乃至０．８センチメートル程度とする。
更に、沈澱物２の吸込みの効率を向上させるために、図３乃至図６に示すように、角錐台状筒体５の間隔保持輪８の上部に回転軸であるピン９を中心に図４の方向ｒ、ｒ’にスイング可能な、腕木１０及び支持枠１１に固定された、薄手のゴム板等の可撓性材料で作られた集塵ヘラ１２を装備した。
【０００９】
次に、図１，図２のように、水中ポンプ７によって吸引された沈澱物２と浴水Ｗの混合液は可撓性材料のパイプ１３を通して浴槽Ｔの外側にある洗場Ｃなどに排出される。
水中ポンプ７は吸引部Ｓに固定された誘導棒１４上部の電源部Ｅと電線１５で結び、電源部Ｅのオン、オフ操作により、水中ポンプ７の駆動、停止を実行する。
【００１０】
電源部Ｅは図７に示すように、スイッチ１６、外部入力端子１７、電池１８、外装材１９からなり、電池１８は乾電池または、充電式電池とし、外部入力端子１７は充電式電池の充電アダプター用の入力端子又は、電池がない場合の外部電力入力端子として使用する。
上記、電源部Ｅは特に家庭用の場合、感電その他の電力障害防止を考慮して、低電圧、直流の電力を使用するので、図７の様に電極の接続を行う。スイッチ１６を矢印ａの方向へ、図１，図２に示すように、誘導棒１４を握りつつ、手Ｈで押圧し、電気回路２０の開閉を行い、矢印ｆ方向の水中ポンプ７へと電力を供給する。
以上、本発明の浴槽沈澱物除去装置Ｒ各部の詳細と組立について説明を行ったので、次に本装置の使用方法について説明する。
【００１１】
図１のように水位ＷＬまである浴水Ｗを入浴完了後数時間以上静置し、入浴者よりの脱落物を十分に浴槽底面１に沈澱物２として沈殿させた後、本発明の浴槽沈澱物除去装置Ｒの誘導棒１４を手Ｈで握り、浴水Ｗ中の図８の位置Ｓ１に誘導し、２個の間隔保持輪８が浴槽底面１に接触し、図２、図５、図８のような進行方向ｈに対して装置全体を図２、図５のように角度ｄ傾斜させるように、また、集塵ヘラ１２が進行方向ｈに対して後方になびくように定置する。
【００１２】
次に、電源部Ｅのスイッチ１６を押し、水中ポンプ７を作動すると、図５において、排出水は方向ｐに吸上げられるので、吸込口３の間隙Ｄより浴水Ｗが上方に吸上げられ、同時に沈澱物２が或る速さで流動するので、上記間隙Ｄ部の流速以下の速さで角度ｄを保持しつつ、方向ｈに本発明の浴槽沈澱物除去装置Ｒを進行させて浴槽底面１の沈澱物２の除去を進行させる。この時、集塵ヘラ１２は吸込口３の進行方向後部を閉鎖し、沈澱物２を掻取るように進行するので、集塵効果を増大する事が出来る。
【００１３】
本発明の浴槽沈澱物除去装置Ｒが図８の位置Ｓ２に到達した後、誘導棒１４を静かに数センチメートル引き上げ、そのまま方向ｊに移動し、位置Ｓ３で再び下に降ろし、位置Ｓ１での定置時と同様に、図６に示すように進行方向ｈ’に対し、角度ｄ’で、集塵ヘラ１２が後方になびくように、位置Ｓ４に定置する。
【００１４】
次に、図８の方向ｈ’に向かい角度ｄ’を保持して進行させると、排出水は方向ｐ’に吸い上げられ、沈澱物２の排出を行い、位置Ｓ５に到達してから本発明の浴槽沈澱物除去装置Ｒを引き上げつつ、スイッチ１６を押し、水中ポンプ７を停止し、排出水の逆流を防止するように素早く本装置を浴槽Ｔ外に取り出し、一連の沈澱物除去作業を終了させる。
以上のように、浮遊しやすい沈澱物２を撹乱しない程度の速さで、集塵ヘラ１２で沈澱物２を確実に捕捉しつつ、しかも図８に示すように、浴槽に対し１往復の吸引部Ｓの通過で作業を完了するので、清浄効果の増大が実現できる。
【００１５】
上記の清浄効果の定量的実験は行っていないが、これに準じた実験として、入浴完了数時間後の第１回目の沈澱物を除去した排出水と、その後、入浴せず残りの浴水を更に数時間静置した後で第２回目の沈澱物を除去した排出水に対して、この２ケースの排出水全量について、これを廃棄せずに、更に、それぞれ沈殿させ、その上澄み水のみを廃棄する濃縮方法を数回繰り返し、最後にタンブラーの底に沈殿した沈澱物の量を視覚的に調査した結果、第１回目と第２回目の比率は８：１程度と観察されたので、８割程度の沈澱物の排除が確保されたと観察した。
【００１６】
因みに、実験を行った各機構の仕様及び実験結果は下記の通りである。
2004033501.tif 000003
【００１７】
以上のように、間隙Ｄ部の流速は吸込口３の移動速さの２倍を上回っているため、沈澱物２を確実に捕らえ排出している。又、浴槽底面１を注意深く観察すると、吸引時に吸込口３の進行方向２乃至３センチメートル前方から沈澱物２が吸込口３に吸込まれて行く様子を視覚的に確認することが出来た。更に、二次的効果として、沈澱物２の腐敗菌による臭気も相当削減されたことを確認した。
【００１８】
【発明の効果】
斯くの如き構成および作用によって、入浴後の沈澱物が８０％程度除去されるので、濁りに伴う臭気も相当軽減され、その後１回乃至２回は綺麗な状態での入浴が可能になり、又、沈澱物の除去作業は極短時間で終了し、器具の取り扱いも簡単であるため、作業が気楽に励行でき、水資源と湯沸かしエネルギーの節約及び、これに伴う二酸化炭素の排出を押さえる等、環境への負担の軽減にも大きく貢献できる。
【図面の簡単な説明】
【図１】浴槽と本発明の浴槽沈澱物除去装置の関係を示す断面図である。
【図２】図１のイ−イ矢視の側面図である。
【図３】図１の楕円ロ部の内部断面詳細図である。
【図４】図３のハ−ハ矢視の断面詳細図である。
【図５】図４に示す吸込口３が浴槽底面１に接し移動する状況を示す断面図である。
【図６】図４に示す吸込口３が、図５と反対方向に移動する状況を示す断面図である。
【図７】電源部の結線と操作の方法を示す模式断面図である。
【図８】浴槽内での、本発明の浴槽沈澱物除去装置の操作方法を示す平面図である。
【符号の説明】
イ　側面図の視点　　　　　　　　ロ　拡大図の拡大位置
ハ　断面図の視点
Ｔ　浴槽　　　　　　　　　　　　Ｈ　手
ＷＬ　水面　　　　　　　　　　　Ｒ　浴槽沈澱物除去装置
Ｗ　浴水　　　　　　　　　　　　Ｃ　洗場
Ｋ　壁　　　　　　　　　　　　　Ｅ　電源部
Ｓ　吸引部　　　　　　　　　　　Ｄ　間隙
Ｓ１〜Ｓ５　吸引部Ｓの浴槽Ｔ内に於るそれぞれの位置を示す
ａ　矢印　　　　　　　　　　　　ｆ　矢印
ｒ　方向　　　　　　　　　　　　ｒ’方向
ｈ　方向　　　　　　　　　　　　ｈ’方向
ｊ　方向　　　　　　　　　　　　ｄ　　角度
ｄ’角度　　　　　　　　　　　　ｐ　方向
ｐ’方向
１　浴槽底面　　　　　　　　　　２　沈澱物
３　吸込口　　　　　　　　　　　４　隔板
５　角錐台状筒体　　　　　　　　６　固定枠
７　水中ポンプ　　　　　　　　　８　間隔保持輪
９　ピン　　　　　　　　　　　　１０　腕木
１１　支持枠　　　　　　　　　　１２　集塵ヘラ
１３　排出パイプ　　　　　　　　１４　誘導棒
１５　電線　　　　　　　　　　　１６　スイッチ
１７　外部入力端子　　　　　　　１８　電池
１９　外装材　　　　　　　　　　２０　電気回路
【図１】
2004033501.tif 000004
【図２】
2004033501.tif 000005
【図３】
2004033501.tif 000006
【図４】
2004033501.tif 000007
【図５】
2004033501.tif 000008
【図６】
2004033501.tif 000009
【図７】
2004033501.tif 000010
【図８】
2004033501.tif 000011